(57)【要約】  本発明の救命用具(10)は、ボディハーネス部(14)と膨張式の救命胴衣部(12)とを備える。ボディハーネス部(14)を着用者の上体に配置し、かつ、救命胴衣部(12)を着用者の首周りに配置した状態で、救命胴衣部(12)をボディハーネス部(14)に簡易着脱コネクタ(54)によって着脱自在に固定する。救命胴衣部(12)をボディハーネス部(14)から分離させ、ボディハーネス部(14)を着用者に残した状態で、救命胴衣部(12)を着用者の首周りから取り外せば、救命胴衣部(12)を着用者から除去した状態とすることができる。
2011511726.tif 000002
【特許請求の範囲】
【請求項１】
ボディハーネス部と、該ボディハーネス部に対して着脱自在に取付け可能な救命胴衣部とを備える、救命用具。
【請求項２】
前記ボディハーネス部は、腰ベルトと、該腰ベルトに固定される第１端部およびループ状の第２端部を有するボディストラップとを備える、請求項１に記載の救命用具。
【請求項３】
前記救命胴衣部は、第１ストラップ部、第２ストラップ部、および前記第１ストラップ部を前記第２ストラップ部に着脱自在に接続する簡易着脱コネクタを有するネックストラップを備え、
該ネックストラップが、前記ボディストラップの前記ループ状の第２端部を通じて装着されることにより、前記救命胴衣部が前記ボディハーネス部に接続される、請求項２に記載の救命用具。
【請求項４】
前記ネックストラップの第１ストラップ部が、前記ボディハーネス部にある前記ボディストラップの前記ループ状の第２端部を通じて装着され、前記第１ストラップ部が前記第２ストラップ部に簡易着脱コネクタにより取外し可能に連結されることで、前記救命胴衣部が前記ボディハーネス部に着脱自在に接続される、請求項３に記載の救命用具。
【請求項５】
前記ネックストラップの第１ストラップ部を、前記簡易着脱コネクタから取り外し、該第１ストラップ部を、前記ボディハーネス部のボディストラップのループ状の第２端部から抜き取ることで、前記救命胴衣部が、前記ボディハーネス部から取外し可能となる、請求項４に記載の救命用具。
【請求項６】
前記救命胴衣部は、さらに、
収縮した状態から膨張した状態に膨張可能なブラダーと、
カラー部および２つの縦方向に伸長する脚を形成し、前記膨張可能なブラダーを収縮した状態で収容する、略Ｕ字状の外側ケーシングと、
前記膨張可能なブラダーに操作可能に接続される膨張機構とを備え、
前記ネックストラップが前記２つの縦方向に伸長する脚に固定されるとともに、これらの間に伸長する、請求項３に記載の救命用具。
【請求項７】
前記外側ケーシングは、前記膨張可能なブラダーが前記膨張した状態において膨らむことができるようにするための開口部を備える、請求項６に記載の救命用具。
【請求項８】
前記２つの縦方向に伸長する脚は、前記ボディハーネス部の前記腰ベルトに着脱自在に接続可能である、請求項７に記載の救命用具。
【請求項９】
腰ベルトと、該腰ベルトに取り付けられた第１端部、およびループ状の第２端部を有するボディストラップとを備えるボディハーネス部、および、
収縮した状態から膨張した状態に膨張可能なブラダーと、収縮した状態の前記膨張可能なブラダーの周囲に配置され、カラー部と縦方向に伸長する第１および第２の脚を形成する略Ｕ字状の外側ケーシングと、前記縦方向に伸長する第１脚に取り付けられる第１ネックストラップ部、前記縦方向に伸長する第２脚に取り付けられる第２ネックストラップ部、および前記第１ネックストラップ部を前記第２ネックストラップ部に着脱自在に接続する簡易着脱コネクタを含むネックストラップとを有する救命胴衣部を備え、
前記第１ネックストラップ部が前記ボディハーネス部にあるボディストラップのループ状の第２端部に通され、前記第１ネックストラップ部が前記第２ネックストラップ部に前記簡易着脱コネクタにより着脱自在に接続されることで、前記救命胴衣部が前記ボディハーネス部に対して着脱自在に接続される、救命用具。
【請求項１０】
前記膨張可能なブラダーに操作可能に接続される膨張機構をさらに備える、請求項９に記載の救命用具。
【請求項１１】
前記外側ケーシングは、前記膨張可能なブラダーが前記膨張した状態において膨らむことができるようにするための開口部を備える、請求項１０に記載の救命用具。
【請求項１２】
前記ネックストラップの第１ストラップ部が前記簡易着脱コネクタから取り外され、該第１ストラップ部が、前記ボディハーネス部にある前記ボディストラップのループ状の第２端部から抜き取られることで、前記救命胴衣部が前記ボディハーネス部から分離される、請求項１１に記載の救命用具。
【請求項１３】
着用者の腰に着脱自在に配される腰ベルトと、第１端部が前記腰ベルトに取り付けられ、ループ状の第２端部が着用者の胸に位置するボディストラップとを備えるボディハーネス部が着用者に取り付けられ、
前記ボディストラップの前記ループ状の第２端部に通された第１ストラップ部と、該第１ストラップ部と取外し可能に連結された簡易着脱コネクタを有する第２ストラップ部とを備えるネックストラップを有する救命胴衣部が着用者の首周りに配置されている状態において、
前記ネックストラップの第１ストラップ部を、前記ネックストラップの第２ストラップ部の簡易着脱コネクタから取り外し、
前記ボディストラップの前記ループ状の第２端部から前記第１ストラップ部を抜き取り、
前記ボディハーネス部を着用者に残した状態で、前記救命胴衣部を着用者の首周りから取り外す、
救命胴衣を着用者から取り外す方法。
【発明の詳細な説明】
【技術分野】
【０００１】
本発明は、救命用具、特に、簡単に取り外すことが可能な小型の救命用具に関する。
【背景技術】
【０００２】
膨張式救命胴衣は、ハーネスやバックルなどの手段を用いて、着用者の体にフィットさせることができる。あるいは、救命胴衣は、衣類または水中救命服などの専用着に組み込まれている。
【０００３】
救命胴衣を膨張させるためのさまざまな手段が開発されている。自動的に膨張する救命胴衣としては、感圧式および／または水感知式のものがある。これは、着用者が水に落ちた場合などに起動し、自動的に膨張媒体を膨張可能なブラダー内に放出するものである。あるいは、手動で起動させて膨らませる機構を備えた救命胴衣もある。このタイプの場合、着用者がその機構を起動させて、膨張媒体を放出させる。膨張媒体は、通常、カートリッジに加圧下で保持されたガスである。このような膨張媒体として、たとえば二酸化炭素があげられる。
【０００４】
着用時の動きが阻害されないように、救命胴衣は、折畳み状態または収縮状態、すなわち膨張可能なブラダーが可撓性ケーシング内に収容された状態で提供される。膨張させると、膨張可能なブラダーが、可撓性ケーシングに打ち勝って、制御された方法により開いた状態となる。
【０００５】
救命胴衣の一例としては、前部が２つの部分に分れている馬蹄型の救命胴衣がある。このタイプの救命胴衣は、着用者の首の周りにフィットするとともに、着用者の上体に沿って伸長する２つの平行な脚を有する。この救命胴衣は、可撓性ケーシング内に組み込まれた膨張型ブラダーを備える。着用者の体へ固定するために、救命胴衣にハーネスが取り付けられていたり、または、ケーシングが衣服に固定されるようになっていたりする。このようなケーシングの形状により、救命胴衣による干渉が最小限に抑えられ、着用者の動作範囲がより大きくなっている。この前部が２つの部分に分れているタイプの救命胴衣を膨らませると、着用者の上体に沿った前側の脚と、着用者の首周りにあるカラー部とが膨らむことで、着用者に浮力が付与される。カラー部を設けることで、着用者の首と頭に浮力を与えるという効果が得られている。
【先行技術文献】
【特許文献】
【０００６】
【特許文献１】英国特許公開第１２４９４９６号公報
【特許文献２】英国特許公開第２２５６８３２号公報
【発明の概要】
【発明が解決しようとする課題】
【０００７】
本発明は、簡易迅速に取り外すことが可能な膨張式救命用具を提供することを目的とする。
【課題を解決するための手段】
【０００８】
本発明は、ボディハーネス部と、該ボディハーネス部に着脱自在に取り付けられている膨張可能な救命胴衣部とを備える救命用具を提供する。前記ボディハーネス部は、着用者の腰周りに配置可能な腰ベルトを備える。また、第１端部とループ状の第２端部を有するボディストラップが備えられ、該第１端部は前記腰ベルトに固定され、該ループ状の第２端部は着用者の顎の近傍に配置可能となっている。
【０００９】
前記救命胴衣部は、収縮した状態から膨張した状態に膨らませることができる、膨張可能なブラダーを備える。外側ケーシングが収縮した前記膨張可能なブラダーの周囲に配置可能となっている。該外側ケーシングは、略Ｕ字状に形成されている、カラー部と、縦方向に伸長する第１および第２の脚とを備える。第１のストラップ部と第２のストラップ部を有するネックストラップが備えられ、該第１のストラップ部は前記第１の脚に固定され、該第２のストラップ部は前記第２の脚に固定される。該第１のストラップ部と該第２のストラップ部とを着脱自在に接続する簡易着脱コネクタが備えられる。
【００１０】
前記第１ストラップ部を前記ボディハーネス部のボディストラップのループ状の第２端部に通して取外し可能に装着することにより、前記救命胴衣部が該ボディハーネス部に着脱自在に接続される。該第１ストラップ部は、簡易着脱コネクタにより、該第２ストラップ部に取外し可能に接続される。
【００１１】
前記ネックストラップの第１ストラップ部を前記簡易着脱コネクタから取り外すことで、前記救命胴衣部が前記ボディハーネス部から分離される。該第１ストラップ部は、前記ボディハーネス部のボディストラップのループ状の第２端部から抜き取られる。
【００１２】
使用の際には、前記ボディハーネス部は、着用者に対して配置される。前記腰ベルトは、着用者の腰周りに着脱自在に配置され、前記ボディストラップ部のループ状の第２端部は、着用者の顎の下、胸の前に配置される。
【００１３】
前記救命胴衣部は、着用者の首周りに配置される。該救命胴衣部が着用者に固定され、前記ネックストラップの第１ストラップ部が、前記ボディストラップのループ状の第２端部に通され、前記ネックストラップの第２ストラップ部の簡易着脱コネクタに着脱自在に連結される。
【００１４】
前記ネックストラップの第１ストラップ部を前記ネックストラップの第２ストラップの簡易着脱コネクタから取り外すことにより、前記救命胴衣部を着用者から取り外すことが可能となる。前記第１ストラップ部は、前記ボディストラップのループ状の第２端部から抜き取られる。前記ボディハーネス部を着用者に残した状態で、前記救命胴衣部は、着用者の首周りから取り除かれる。
【発明の効果】
【００１５】
本発明により、膨張式救命用具を、相互に分離可能なボディハーネス部と救命胴衣部とにより構成することで、着用者に装着した状態から、膨張式救命用具が膨張した状態と収縮した状態とのいずれにおいても、簡易迅速に取り外すことが可能となる。
【図面の簡単な説明】
【００１６】
【図１】図１は、本発明の救命用具を示す正面斜視図である。
【図２】図２は、図１に示した救命用具のボディハーネス部を示す正面斜視図である。
【図３】図３は、図１に示した救命用具の救命胴衣部を示す正面斜視図である。
【図４】図４は、図３に示した救命胴衣部の断面図である。
【図５】図５は、図１に示した救命用具の着用者への着用状態を示す概略正面斜視図である。
【図６】図６は、図１に示した救命用具の着用者への着用状態を示す概略側面図である。
【図７】図７は、図１に示した救命用具の着用時における膨張した状態を示す概略側面図である。
【図８】図８は、図３に示した救命胴衣部に使用される、簡易着脱コネクタの典型例を示す斜視図である。
【図９】図９は、図１に示した救命用具が衣服と共に使用されている状態を示す概略正面斜視図である。
【図１０】図１０は、図２に示したボディハーネス部が衣服と共に使用されている状態を示す概略正面斜視図である。
【図１１】図１１は、図３に示した救命胴衣部を衣服に着脱自在に接続するための１つの手段を示す断面図である。
【図１２】図１２は、図３に示した救命胴衣部を衣服に着脱自在に接続するための別の手段を示す断面図である。
【図１３】図１３は、図３に示した救命胴衣部を衣服に着脱自在に接続するためのフックループストラップシステムを示す断面図である。
【図１４】図１４は、図１３に示したフックループストラップシステムの接続状態を示す断面図である。
【図１５】図１５は、図１３に示したフックループストラップシステムであって、簡易着脱コネクタを備えているものを示す断面図である。
【発明を実施するための形態】
【００１７】
以下、本発明について、図面を参照しながら、詳細に説明する。なお、図において、同じ要素には同じ符号を付している。
【００１８】
図１に、本発明の救命用具１０を示す。救命用具１０は、救命胴衣部１２およびボディハーネス部１４を備え、ボディハーネス部１４によって、救命胴衣部１２が着用者の体に固定される。
【００１９】
図２に示すように、ボディハーネス部１４は、着用者の腰周りに配置される調節可能な腰ベルト１６を備えている。腰ベルト１６は、着用者の腰周りに固定するためのバックルやクリップなどのコネクタ１８を備えている。また、ボディストラップ２０が備えられており、ボディストラップ２０の第１端部２２は腰ベルト１６に取り付けられ、ボディストラップ２０の第２端部２４は、ループ２６を有している。
【００２０】
図３および図４に示すように、救命胴衣部１２は、外側ケーシング３０の内側に収納された膨張可能なブラダー２８を備えている。外側ケーシング３０は、可撓性ファブリックによりチューブ状に形成されており、その自由縁３２，３４が相互にジッパー、フックループファスナなどの固定機構３６により接続されている。固定機構３６の典型例は、米国特許第４２９７７５８号公報，同第６５８９０８８号公報、同第６８３２４１５号に開示されている。なお、これらの公報の内容全体は、本明細書に組み込まれているものとする。
【００２１】
救命胴衣部１２の膨張可能なブラダー２８は、外側ケーシング３０の中に収縮した状態で折畳まれている。救命胴衣部１２は馬蹄型（Ｕ字状）であり、カラー部３８と縦方向に伸長する一対の脚４０，４２を備えている。
【００２２】
縦方向に伸長する脚４０，４２の少なくとも一方に、膨張機構４４が備えられている。膨張機構４４は、膨張媒体を収容するシリンダなどの容器を備える。膨張媒体を容器から放出させるためのリリース機構４６が設けられている。リリース機構４６は、手動式または自動式のいずれかの形態をとることができる。リリース機構の典型例は、米国特許第６５８９０８８号公報に開示されており、その内容全体は、本明細書に組み込まれているものとする。
【００２３】
手動式のリリース機構の場合には、膨張タブ４７が備えられており、これを引くことにより膨張媒体が容器から放出され、膨張可能なブラダー２８を膨らませる。膨張可能なブラダー２８が膨らむと、固定機構３６に打ち勝って、ケーシング３０の縁部３２，３４を離間させ、外側ケーシング３０が開いて、膨張可能なブラダー２８を膨張させることができる。
【００２４】
膨張機構４４に加えて、手動式の膨張機構をさらに備えることもできる。膨張可能なブラダー２８と連通する膨張チューブを備える手動式の膨張機構は公知である。膨張チューブの途中に逆止弁を設けることで、膨張可能なブラダー２８から空気の抜けを防止することができる。膨張可能なブラダー２８を膨張させるには、着用者が膨張チューブを通じて膨張可能なブラダー２８に息を吹く。手動式の膨張機構は、膨張可能なブラダー２８を完全な膨張状態としたり、その後もその状態を維持したりするために使用される。
【００２５】
縦方向に伸長する脚４０，４２には、これらの横断方向にネックストラップ４８が接続されている。ネックストラップ４８は、簡易着脱コネクタ５４によって相互に連結される第１および第２のストラップ部５０，５２を備えている。簡易着脱コネクタ５４を操作して、第１ストラップ部５０を第２ストラップ部５２から分離させることができる。
【００２６】
図１に示すように、救命胴衣部１２のネックストラップ４８を、ボディハーネス部１４のボディストラップ２０のループ２６に通すことにより、救命胴衣部１２がボディハーネス部１４に接続される。この接続は次のように行う。最初に簡易着脱コネクタ５４を操作して、ネックストラップ４８の第１および第２のストラップ部５０，５２を分離させる。ネックストラップ４８の第１ストラップ部５０を、ボディストラップ２０のループ２６に通し、ネックストラップ４８の第１および第２ストラップ部５０，５２を、簡易着脱コネクタ５４によって再び連結する。
【００２７】
図５および図６に示すように、救命用具１０は着用される。救命胴衣部１２が着用者の頭の上から被るように配置され、カラー部３８は、着用者の首周り後方に位置し、縦方向に伸長する脚４０，４２は、着用者の上体に沿ってカラー部から下方向に伸長する。
【００２８】
腰ベルト１６は、着用者の腰周りに配置されて固定される。腰ベルト１６は、着用者の腰周りに適度にフィットするように長さが調節される。
【００２９】
ボディストラップ２０は、ボディストラップ２０のループ２６が着用者の顎の下方に位置するように、着用者の上体に沿って配置される。ボディストラップ２０のループ２６に、ネックストラップ４８が通されているため、ネックストラップ４８は着用者の顎の下方で、胸を横断する方向に配置される。ネックストラップ４８の長さは、救命胴衣部１２が着用者に適度にフィットするように調節可能である。
【００３０】
救命胴衣部１２の縦方向に伸長する脚４０，４２の下端５６，５８は、ボディハーネス部１４に対して着脱自在に固定することができる。このためには、たとえば、フックループファスナを腰ベルト１６と縦方向に伸長する脚４０，４２の下端５６，５８とに設ければよい。
【００３１】
図７に示すように、救命胴衣部１２を膨らませるために、着用者は膨張機構４４に接続された膨張タブ４７を引き、膨張媒体を容器から放出させる。膨張可能なブラダー２８が膨らむと、固定機構３６に打ち勝って、外側ケーシング３０の縁部３２，３４が離間し、外側ケーシング３０が開いて、膨張可能なブラダー２８が膨張することができる。
【００３２】
カラー部３８および縦方向に伸長する脚４０，４２が膨張し、着用者に浮力を与える。カラー部３８が着用者の首周りの後方に位置していることと、着用者の顎の下にあるネックストラップ４８とにより、膨張可能なブラダー２８が着用者の頭の上まで浮上してしまうことが防止される。
【００３３】
着用者から救命胴衣部１２を取り外すには、コネクタ１８を開いて腰ベルト１６を着用者の腰から取り外す。簡易着脱コネクタ５４によりネックストラップ４８を緩め、着用者の頭の上に救命胴衣部１２を引き上げることができる程度まで、縦方向に伸長する脚４０，４２の間隔を広げる。この方法により、膨張した状態と収縮した状態との両方において、救命胴衣部１２を着用者から取り外すことが可能となる。
【００３４】
救命胴衣部１２を着用者から簡易迅速に取り外すためには、簡易着脱コネクタ５４を使用して、ネックストラップ４８の第１および第２ストラップ部５０，５２を分離させる。ネックストラップ４８の第１のストラップ部５０を、ボディハーネス部１４のボディストラップ２０のループ２６から抜き取って、救命胴衣部１２をボディハーネス部１４から分離させる。縦方向に伸長する脚４０，４２は、ネックストラップ４８とはすでに接続されていないため、縦方向に伸長する脚４０，４２を広げて、救命胴衣部１２を着用者から取り外すことが可能となる。この方法では、ボディハーネス部１４は着用者に残される。この方法によって、膨張した状態と収縮した状態との両方において、救命胴衣部１２を着用者から簡易迅速に取り外すことが可能となる。
【００３５】
図８に、簡易着脱コネクタ５４の典型例を示す。簡易着脱コネクタ５４は、ネックストラップ４８の第２ストラップ部５２に取り付けられた第１および第２のリング部材６０，６２を備える。ネックストラップ４８の第１ストラップ部５０は、第１および第２のリング部材６０，６２を通して巻付けられ、ネックストラップ４８の第１および第２ストラップ部５０，５２が相互に固定される。ネックストラップ４８の長さは、第１のストラップ部５０を第１および第２のリング部材６０，６２からさらに引っ張ることで調節可能である。リリースタブ６４が第２のリング部材６２に接続され、これをネックストラップ４８の第２のストラップ部５２の方向に引くと、第１および第２のリング部材６０，６２が引き上げられ、第１のストラップ部５０が第１および第２のリング部材６０，６２に対して緩んだ状態となり、取り外すことが可能となる。「ストラップ閉止具」に関する米国特許第４１７５３０４号公報に、上述したような簡易着脱コネクタの例があげられているが、その内容全体は、本明細書に組み込まれているものとする。
【００３６】
また、他の簡易着脱コネクタが、米国特許第３２７７５４３号公報、同第４６７０９４５号公報、同第５４３８７３４号公報にも開示されており、それらの内容全体が本明細書に組み込まれているものとする。ただし、上記の簡易着脱コネクタは単なる典型例にすぎず、その他の簡易着脱ストラップコネクタを使用することも想定される。
【００３７】
救命用具１０は、特殊分野で使用される衣服に適用して、衣服を脱ぐことなく救命胴衣部１２を簡易迅速に取り外せるようにできる。また、救命胴衣部１２を外すことなく衣服を脱ぐこともできる。
【００３８】
図９および図１０に、特殊分野で使用される衣服の典型例として、防弾チョッキ７０を示す。使用時に、着用者は、救命用具１０のボディハーネス部１４を最初に着用する。腰ベルト１６は、着用者の腰周りに配置され固定される。腰ベルト１６は、着用者の腰に適度にフィットするように調節される。ループ２６が着用者の顎の下方に位置するように、ボディストラップ２０が着用者の上体に沿って配置される。
【００３９】
防弾チョッキ７０は、ボディハーネス部１４の上に着用する。ボディストラップ２０のループ２６は、着用者の顎の下に位置して、防弾チョッキ７０から露出する。
【００４０】
救命胴衣部１２は、着用者の頭上から配され、カラー部３８は着用者の首周りの後方に巻かれ、縦方向に伸長する脚４０，４２は、着用者の上体に沿って、防弾チョッキ７０の外表面７１に沿って下方に伸長する。ネックストラップ４８はボディストラップ２０のループ２６に通され、第１および第２ストラップ部５０，５２は簡易着脱コネクタ５４により接続される。救命胴衣部１２が着用者に適度にフィットするように、ネックストラップ４８の長さは調節可能である。
【００４１】
または、最初に救命用具１０が着用者に着用され、次いで、防弾チョッキ７０が救命胴衣部１２の下に配置されて、防弾チョッキ７０がボディハーネス部１４を覆った状態とする。救命胴衣部１２が着用者の防弾チョッキ７０に適度にフィットするように、ネックストラップ４８の長さは調節可能である。
【００４２】
救命胴衣部１２を着用者から簡易迅速に取り外すためには、簡易着脱コネクタ５４を使用して、ネックストラップ４８の第１および第２のストラップ部５０，５２を分離させる。ネックストラップ４８の第１ストラップ部５０が、ボディハーネス部１４のボディストラップ２０のループ２６から抜かれ、救命胴衣部１２をボディハーネス部１４から分離させる。縦方向に伸長する脚４０，４２は、ネックストラップ４８にはすでに接続されていないので、縦方向に伸長する脚４０，４２を広げて、救命胴衣部１２を着用者の首周りから取り外すことができる。ボディハーネス部１４は、防弾チョッキ７０の下に着用されているため、救命胴衣部１２を取り外すために防弾チョッキ７０を脱ぐ必要はない。この方法により、膨張した状態と収縮した状態との両方で、救命胴衣部１２を着用者から簡易迅速に取り外すことができる。
【００４３】
また、救命胴衣部１２を取り外すことなく防弾チョッキ７０を脱ぐことができる。図９に示すように、防弾チョッキ７０は、上体ストラップと肩ストラップのセットにより、着用者に固定される。救命胴衣部１２がボディストラップ２０のループ２６によってのみ固定されているため、防弾チョッキ７０の上体ストラップおよび肩ストラップを取り外して、防弾チョッキ７０を救命胴衣部１２の下でスライドさせて、防弾チョッキ７０を救命胴衣部１２から取り除くことができる。
【００４４】
図１１に示すように、救命胴衣部１２は、防弾チョッキ７０に対して着脱自在に固定可能である。たとえば、防弾チョッキ７０の前面７１と縦方向に伸長する脚４０，４２の背面７３とに、フックループファスナ７２を設ければよい。フックループファスナ７２を分離させて、救命胴衣部１２を、防弾チョッキ７０から取り外すことができる。
【００４５】
他の実施形態では、取付けクリップにより、救命胴衣部１２が防弾チョッキ７０に着脱自在に固定される。図１２に示すように、縦方向に伸長する脚４０，４２の下端７４，７６には、それぞれ取付けクリップ７８の第１の部位７７が備えられる。取付けクリップ７８の第２の部位７９は、防弾チョッキ７０に取り付けられている。取付けクリップ７８の第１および第２の部位７７，７９は、着脱自在に相互に接続され、救命胴衣部１２が防弾チョッキ７０に固定される。救命胴衣部１２は、取付けクリップ７８を分離させるか、クリップ７８を回転するように引き上げて、生地から分離させることで、防弾チョッキ７０から離脱させることができる。
【００４６】
図１３および図１４に示すように、縦方向に伸長する脚４０，４２のそれぞれの背面７３は、フックループストラップ８０を備えている。各フックループストラップ８０は、縦方向に伸長する脚４０，４２の背面７３に取り付けられた第１部位８２と、第２部位８４とを有し、第１および第２部位８２，８４は、それらの上端８６で相互に接続している。
【００４７】
フックループストラップ８０の第２部位８４は、防弾チョッキ７０の外表面７１に設けられたストラップ９０，９２に通される。第２部位８４を、きつく引っ張ると、第１部位８２に押し付けられるので、救命胴衣部１２が防弾チョッキ７０に固定される。フックループストラップ８０の第２部位８４を第１部位８２から分離させ、第２部位８４を防弾チョッキ７０のストラップ９０，９２から取り外せば、救命胴衣部１２を防弾チョッキ７０から取り外せるようになる。
【００４８】
図１５に示すように、フックループストラップ８０に、さらに簡易着脱コネクタ９８を備えることができる。簡易着脱コネクタ９８は、フックループストラップ８０の第１部位８２の下端１００に接続される。第２部位８４の下端部１０２が簡易着脱コネクタ９８を通るようにして巻かれ、下端１００，１０２が相互に固定される。
【００４９】
フックループストラップ８０の第２部位８４を第１部位８２から分離させることで、救命胴衣部１２を防弾チョッキ７０から取り外すことができる。まず、第２部位８４の下端１０２が簡易着脱コネクタ９８から取り除かれる。第１および第２部位８２，８４が離れるので、第２部位８４を防弾チョッキ７０のストラップ９０，９２，９４から取り外すことができる。
【００５０】
救命胴衣部１２を着用者から簡易迅速に取り外すためには、救命胴衣部１２の縦方向に伸長する脚４０，４２を、防弾チョッキ７０の外表面７１から離す。救命胴衣部１２のネックストラップ４８の簡易着脱コネクタ５４を使用して、ネックストラップ４８の第１および第２ストラップ部５０，５２を分離させる。ネックストラップ４８の第１ストラップ部５０をボディストラップ２０のループ２６から外して、救命胴衣部１２をボディハーネス部１４から取り外す。縦方向に伸長する脚４０，４２は、ネックストラップ４８とはすでに接続していないので、縦方向に伸長する脚４０，４２を広げて、救命胴衣部１２を着用者の首周りから取り除くことができる。ボディハーネス部１４は、防弾チョッキ７０の下で着用されているが、救命胴衣部１２を取り外すために、防弾チョッキ７０を脱ぐ必要はない。この方法により、膨張した状態と収縮した状態との両方において、救命胴衣部１２を着用者から簡易迅速に取り外すことができる。
【００５１】
または、救命胴衣部１２を取り外すことなく防弾チョッキ７０を脱ぐことができる。まず、救命胴衣部１２の縦方向に伸長する脚４０，４２を防弾チョッキ７０の外表面７１から離す。図９に示すように、防弾チョッキ７０は、上体ストラップおよび肩ストラップのセットにより、着用者に固定されている。次いで、上体ストラップおよび肩ストラップを取り外し、防弾チョッキ７０を救命胴衣部１２の下でスライドさせることで、防弾チョッキ７０を救命胴衣部１２の下から除去することが可能となる。
【００５２】
上述の例では、救命胴衣部１２は、膨張可能なブラダー２８を１つだけ備えている。ただし、複数の膨張可能なブラダーを備えた救命胴衣部１２も、当該分野ではすでに知られている。
【符号の説明】
【００５３】
１０  救命用具
１２  救命胴衣部
１４  ボディハーネス部
１６  腰ベルト
１８  コネクタ
２０  ボディストラップ
２２  第１端部
２４  第２端部
２６  ループ
３０  外側ケーシング
３８  カラー部
４０，４２  脚
４８  ネックストラップ
５０  第１ストラップ部
５２  第２ストラップ部
５４  簡易着脱コネクタ
６０，６２  リング部材
６４  リリースタブ
【図１】
2011511726.tif 000003
【図２】
2011511726.tif 000004
【図３】
2011511726.tif 000005
【図４】
2011511726.tif 000006
【図５】
2011511726.tif 000007
【図６】
2011511726.tif 000008
【図７】
2011511726.tif 000009
【図８】
2011511726.tif 000010
【図９】
2011511726.tif 000011
【図１０】
2011511726.tif 000012
【図１１】
2011511726.tif 000013
【図１２】
2011511726.tif 000014
【図１３】
2011511726.tif 000015
【図１４】
2011511726.tif 000016
【図１５】
2011511726.tif 000017
【国際調査報告】
2011511726.tif 000018
2011511726.tif 000019